(57)【特許請求の範囲】
【請求項１】
分電盤に収納されたブレーカに電線を接続するために、前記分電盤が取り付けられる住宅の壁面に配線孔を形成し、該配線孔に挿通する電線を気密部材で挟持して前記配線孔を略板状のセパレータとともに塞いで成る分電盤の気密構造において、前記セパレータはスリット溝を設け、前記セパレータの高さ寸法を小さくできるようにしたことを特徴とする分電盤の気密構造。
【請求項２】
分電盤に収納されたブレーカに電線を接続するために、前記分電盤が取り付けられる住宅の壁面に配線孔を形成し、該配線孔に挿通する電線を気密部材で挟持して前記配線孔を略板状のセパレータとともに塞いで成る分電盤の気密構造において、前記セパレータは２枚を重ね合わせてスライド機構でスライド可能にし、前記セパレータの高さ寸法を小さくできるようにしたことを特徴とする分電盤の気密構造。
【発明の詳細な説明】
【技術分野】
【０００１】
本発明は、住宅の壁面に分電盤を取り付ける際の気密構造に関する。
【背景技術】
【０００２】
近年、住宅は断熱性能が求められて高気密化が進められており、壁面に取り付けられる分電盤にも気密対策が要求されている。そこで本出願人は、特許文献１において壁面の配線孔に挿通された電線を気密部材で挟持し、この気密部材を配線孔に嵌め込んで塞ぐことで気密する構造を提案している。気密部材は電線を挟持するために分割形成された枠体の内側に気密材を設けて成り、枠体は略角筒状の枠部と、枠部の前面側の端縁全周に張設された鍔部とで構成している。
【０００３】
しかしながら、この特許文献１の構造では気密部材に合わせて壁面の配線孔を開口するため、配線孔が小さくなり、配線がしづらい問題がある。そこで問題を解決するために、本出願人は特許文献２において配線をしやすくするために壁面の配線孔を大きく開け、配線孔を気密部材とセパレータとで塞ぐ構造を提案している。これに用いられる分電盤は、基台の背面部のほぼ全体に開口部が形成され、分岐ブレーカに配線するための配線孔は分岐ブレーカの取り付けスペースと配線スペースを合わせた程度の大きさに形成される。そして、気密部材は上下２段に配置された分岐ブレーカの配線スペースに合わせて配線孔の上下位置に設けられ、セパレータが気密部材間を塞ぐように設けられる。分電盤は種類によって分岐ブレーカが横方向に増減して設けられるので横寸法は異なるが、高さ寸法は一定であり、配線孔の高さ寸法は変わらないのでセパレータの高さ寸法も所定の寸法に決まっていた。
【先行技術文献】
【特許文献】
【０００４】
【特許文献１】特開２００７−３３６６８６号公報（図３）
【特許文献２】特開２０１０−２２１７２号公報（図７）
【発明の概要】
【発明が解決しようとする課題】
【０００５】
しかしながら、住宅の躯体構造によっては分電盤を取り付ける際に分岐ブレーカの配線スペースの位置と重なるように壁面内に横柱が設けられている場合があり、このとき、気密部材が取り付けできないので配線孔の高さ寸法を小さくして開口しなければならないが、セパレータは所定の高さ寸法に形成されているのでセパレータが取り付けられないという問題があった。これに対応するには高さ寸法が小さいセパレータを製作しなければならず、コストが高騰し、在庫管理が煩雑になる上、現場での急な対応もできないという問題があった。
【課題を解決するための手段】
【０００６】
請求項１に記載の発明によれば、分電盤に収納されたブレーカに電線を接続するために壁面に配線孔を形成し、配線孔に挿通する電線を気密部材で挟持して配線孔を略板状のセパレータとともに塞いで成る分電盤の気密構造において、セパレータはスリット溝を設け、セパレータの高さ寸法を小さくできるようにしたことを特徴とする。
【０００７】
請求項２に記載の発明によれば、前記セパレータは２枚を重ね合わせてスライド機構でスライド可能にし、前記セパレータの高さ寸法を小さくできるようにしたことを特徴とする。
【発明の効果】
【０００８】
請求項１に記載の発明によれば、分電盤が取り付けられる壁面内に横柱があって配線孔の開口高さ寸法を所定寸法より小さくしなければならない場合でも高さ寸法の小さいセパレータを別途必要とすることなく、１種類のセパレータで対応でき、コストを低減し、在庫管理も煩雑にならず、現場で急な対応も可能になるという効果がある。スリット溝でセパレータを割れるので容易に小さくでき、簡易な構造で安価に製造できる。
【０００９】
請求項２に記載の発明によれば、分電盤が取り付けられる壁面内に横柱があって配線孔の開口高さ寸法を所定寸法より小さくしなければならない場合でも高さ寸法の小さいセパレータを別途必要とすることなく、１種類のセパレータで対応でき、コストを低減し、在庫管理も煩雑にならず、現場で急な対応も可能になるという効果がある。また、簡単な操作でセパレータの高さ寸法を小さくすることができ、配線孔に合わせてセパレータの高さ寸法を細かく調整できるという効果がある。
【図面の簡単な説明】
【００１０】
【図１】本発明に係る分電盤を示し、分電盤の前面カバーを取り外した状態の正面図である。
【図２】気密部材とセパレータを配線孔に取り付ける前の分解斜視図である。
【図３】気密部材を開放した状態の斜視図である。
【図４】気密部材を閉じた状態の斜視図である。
【図５】セパレータの斜視図である。
【図６】気密部材とセパレータを配線孔に取り付けた状態の斜視図である。
【図７】分岐ブレーカの配線スペースが壁内の横柱と重なって取り付けられる分電盤を示し、分電盤の前面カバーを取り外した状態の正面図である。
【図８】セパレータをスリット溝で割って中間部分を取り除いた状態の斜視図である。
【図９】図８のセパレータをスリット溝で突き合わせた状態の斜視図である。
【図１０】図９のセパレータと気密部材を配線孔に取り付けた状態の斜視図である。
【図１１】本発明の第２実施例に係るセパレータと気密部材を配線孔に取り付ける前の分解斜視図である。
【図１２】本発明の第２実施例に係るセパレータの背面斜視図である。
【図１３】図１２の状態から高さ寸法を小さくしたセパレータの背面斜視図である。
【発明を実施するための形態】
【００１１】
分電盤の分岐ブレーカに配線するために壁面に形成される配線孔を気密部材とセパレータとで塞いで気密をする。気密部材は枠部と鍔部から成る枠体に気密材を保持して構成し、気密材で電線を挟持して枠体が配線孔に固定される。セパレータは略板状に形成されて、配線孔の上下に取り付けられる気密部材間を塞ぐように固定される。セパレータは直線状のスリット溝が水平方向に２本平行に設けられ、本来気密部材が取り付けられる位置の壁に横柱が設けられて配線孔の高さ寸法を小さく形成しなければならない場合、セパレータをスリット溝で割って中間部分を取り除くことで高さ寸法を小さくして、気密部材とセパレータを取り付けできるようにしている。
【実施例１】
【００１２】
本発明に係る分電盤の気密構造の実施例１を図１〜図１０の添付図面に基づいて説明する。
【００１３】
分電盤１は前面カバー（図示せず）と基台２とで略箱状のケースを構成し、前面を開口した基台２に主幹ブレーカ４と複数の分岐ブレーカ５が取り付けられている。基台２は背面部のほぼ全体に開口部２ａが形成されて電線６が挿通できるようになっている。基台２は上下方向に複数のレール７が設けられ、レール７間にパネル８が設けられて、パネル８上に機器が取り付けられる。分岐ブレーカ５は上下２段に並設して設けられ、分岐ブレーカ５の２次側端子と基台２の上下側面部との間には配線スペースが設けられている。
【００１４】
分電盤１が取り付けられる住宅の壁面１０には分岐ブレーカ５に配線するために矩形状の配線孔１１が形成され、配線孔１１は分岐ブレーカ５の取り付けスペースと配線スペースを合わせた程度の大きさに形成される。この配線孔１１に電線６を挿通させた状態で気密するために２つの気密部材１３と１つのセパレータ１７が取り付けられる。
【００１５】
気密部材１３は電線６を挟持するためにスポンジなどの軟質材料により分割形成された気密材１４と、気密材１４を保持する樹脂製の枠体１５とで成り、枠体１５は略角筒状の枠部１５ａと、枠部１５ａの前面側の端縁全周に張設された鍔部１５ｂとで構成している。鍔部１５ｂの裏面にはパッキン（図示せず）が貼着され、気密性を高めるようになっている。分割された枠体１５は一方端にヒンジ１５ｃが設けられて開閉自在に連結され、他方端に係止突起１５ｄと、係止突起１５ｄに係止する孔１５ｅが形成された係止片１５ｆとが設けられて係脱可能になっている。また、枠体１５には取り付けのための固定ねじ１５ｇが対角する２隅に設けられ、固定ねじ１５ｇには固定片１５ｈが螺合している。この固定片１５ｈは枠部１５ａに収納され、固定ねじ１５ｇを締める方向に回すと枠部１５ａから外側に突出し、更に締め込んでいくと枠部１５ａから突出した状態で固定ねじ１５ｇの頭部側、即ち、鍔部１５ｂに近づく方向に移動するようになっている。これにより、壁面１０への取り付け時に鍔部１５ｂと固定片１５ｆとで壁材１０を挟持して固定するようになっている。また、取り外しは固定ねじ１５ｇを緩める方向に回すことで固定片１５ｆが鍔部１５ｂから離れる方向に移動し、最終的に固定片１５ｆが枠部１５ａに収納されることで取り外すことができる。
【００１６】
セパレータ１７は略板状で配線孔１１の上下位置に取り付けられる２つの気密部材１３間を塞ぐ大きさに形成され、背面の全周に亘って補強リブ１７ａが形成され、左右両端縁には壁面１０へ取り付けるための鍔部１７ｂが形成されている。鍔部１７ｂの裏面にはパッキン（図示せず）が貼着され、気密性を高めるようになっている。また、セパレータ１７の左右の補強リブ１７ａの上下位置には係止爪１７ｃが形成され、配線孔１１に取り付ける際に係止爪１７ｃを壁材１０に係止させて仮固定できるようになっている。更にセパレータ１７は直線状のスリット溝１７ｄが水平方向に２本平行に形成され、スリット溝１７ｄで割って中間部分を抜き取ることで高さ寸法を小さくできるようになっている。
【００１７】
気密部材１３とセパレータ１７の取り付けは、まず、分岐ブレーカ５に接続する電線６を接続先の分岐ブレーカ５に合わせて上下に振り分ける。そして開放した気密部材１３に電線６を配置した後、枠体１５を閉じて電線６を挟持固定する。そこからセパレータ１７の左右の鍔部１７ｂを壁面１０の配線孔１１に当接させ、壁材１０に係止爪１７ｃを係止させてセパレータ１７を先に取り付けた後、気密部材１３をセパレータ１７の上下に嵌め込み、気密部材１３の固定ねじ１５ｇを締めこんで夫々取り付ける。これによりセパレータ１７は上下両端が気密部材１３の鍔部１５ｂに押さえられて外れないように固定される。気密部材１３とセパレータ１７の取り付けが完了したら壁面１０に分電盤１の基台２を取り付け、分岐ブレーカ５に配線を行う。配線後、分電盤１の基台２に前面カバーを取り付ける。
【００１８】
また、住宅の壁面１０に分電盤１を取り付ける際に分岐ブレーカ５の配線スペースの位置と重なるように壁面１０内に横柱１８が設けられている場合、配線孔１１は横柱１８と重ならないように高さ寸法を小さく形成される。そして、小さくなった配線孔１１に対応するため、セパレータ１７の高さ寸法を小さくする。セパレータ１７の高さ寸法を小さくするには、まず、セパレータ１７を２つのスリット溝１７ｄで割ってセパレータ１７の中間部分を取り除く。そして、セパレータ１７は中間部分を取り除いた上下部分を使い、上下のセパレータ１７のスリット溝１７ｄを突き合わせて取り付ける。取り付け方法は前述した方法で取り付け、最後にスリット溝１７ｄの突き合わせ部分をテープで塞いで気密を行う。
【００１９】
尚、本実施例においてセパレータ１７のスリット溝１７ｄを２本としたが複数本であっても良い。セパレータ１７の取り付けについても係止爪１７ｃで壁材１０に仮固定し、気密部材１３で押さえ付けて固定する方法に限らず、鍔部１７ｂを壁面１０に螺着して固定するなど、限定はない。
【００２０】
本発明に係る分電盤の気密構造の実施例２を図１１〜図１３の添付図面に基づいて説明する。尚、実施例１と同一部分は同一符号を付して説明を省略する。
【００２１】
本実施例ではセパレータにスリット溝を設けず、第１セパレータと第２セパレータから成る２枚の略板状のセパレータを重ね合わせてスライド機構でスライド可能に連結した点が実施例１と異なっている。
【００２２】
セパレータ２７は第１セパレータ２７ａの左右両端に薄板状のレール部２７ａａが形成され、第１セパレータ２７ａ上に設けられる第２セパレータ２７ｂにコ字状のレール部２７ｂａが形成され、第１セパレータ２７ａのレール部２７ａａと第２セパレータ２７ｂのレール部２７ｂａを嵌め合わせて両者を上下方向にスライド可能にしている。また、第１セパレータ２７ａのレール部２７ａａに沿って複数の凹部２７ａｂが形成され、第２セパレータ２７ｂに形成された凸部２７ｂｂが係合することでセパレータ２７の高さ寸法を段階的に細かく調整することができる。
【００２３】
第１セパレータ２７ａと第２セパレータ２７ｂの背面側の左右両端部にはパッキン（図示せず）が貼着され、パッキンが壁面１０に当接するようにして配線孔１１に取り付けられる。分岐ブレーカ５の配線スペースの位置と重なるように壁面１０内に横柱１８が設けられて配線孔１１が小さく形成された場合はスライド機構を調整し、セパレータ２７の高さ寸法を小さくして使用する。セパレータ２７の上下には電線６を挿通保持させた気密部材１３を取り付ける。
【００２４】
尚、セパレータのスライド機構について限定はなく、また、セパレータの高さ寸法の調整についても無段階に調整できるように形成しても良い。
【符号の説明】
【００２５】
６    電線
１０    壁
１１    配線孔
１３    気密部材
１７    セパレータ
１７ａ    補強リブ
１７ｂ    鍔部
１７ｃ    係止爪
１７ｄ    スリット溝
１８  横柱
【図１】
0005429994.tif 000002
【図２】
0005429994.tif 000003
【図３】
0005429994.tif 000004
【図４】
0005429994.tif 000005
【図５】
0005429994.tif 000006
【図６】
0005429994.tif 000007
【図７】
0005429994.tif 000008
【図８】
0005429994.tif 000009
【図９】
0005429994.tif 000010
【図１０】
0005429994.tif 000011
【図１１】
0005429994.tif 000012
【図１２】
0005429994.tif 000013
【図１３】
0005429994.tif 000014